(57)【要約】【課題】階調補正およびオーバドライブ処理を行う液晶表示装置において、回路規模の増加を抑えつつ、階調補正後の画像データの圧縮効率を改善することができる液晶表示装置を提供する。【解決手段】液晶表示装置では、階調補正を入力画像データに施し、低階調補正を階調補正データに施す。補正有無情報が補正無しを表す場合に階調補正データを出力し、補正有りを表す場合に低階調補正データを出力して圧縮し、圧縮データおよび補正有無情報をフレームバッファに格納する。フレームバッファから読み出された圧縮データを伸張し、逆低階調補正を伸張データに施す。フレームバッファから読み出された補正有無情報が補正無しを表す場合に伸張データを出力し、補正有りを表す場合に逆低階調補正データを出力する。第２の処理データに基づいて、オーバドライブ処理を階調補正データに施し、オーバドライブデータに対応する画像を表示する。【選択図】  図１
2018136455.tif 000002
【特許請求の範囲】
【請求項１】
階調補正を入力画像データに施して階調補正データを出力し、かつ、前記入力画像データの階調を下げる方向への階調補正の有無を表す補正有無情報を出力する階調補正部と、
低階調領域の階調を持ち上げる低階調補正を前記階調補正データに施して低階調補正データを出力する低階調補正部と、
第１の処理データとして、前記補正有無情報が補正無しを表す場合に前記階調補正データを出力し、前記補正有無情報が補正有りを表す場合に前記低階調補正データを出力する第１の処理判定部と、
前記第１の処理データを圧縮して圧縮データを出力する圧縮部と、
前記圧縮データおよび前記補正有無情報を格納するフレームバッファと、
前記フレームバッファから読み出された圧縮データを伸張して伸張データを出力する伸張部と、
前記低階調補正が施されて階調が持ち上げられた前記低階調領域の階調を下げる逆低階調補正を前記伸張データに施して逆低階調補正データを出力する逆低階調補正部と、
第２の処理データとして、前記フレームバッファから読み出された補正有無情報が補正無しを表す場合に前記伸張データを出力し、前記フレームバッファから読み出された補正有無情報が補正有りを表す場合に前記逆低階調補正データを出力する第２の処理判定部と、
現在のフレームの１フレーム前の画像データとなる前記第２の処理データに基づいて、オーバドライブ処理を前記現在のフレームの画像データとなる前記階調補正データに施してオーバドライブデータを出力するオーバドライブ部と、
前記オーバドライブデータに対応する画像を表示する液晶表示パネル部とを備える液晶表示装置。
【請求項２】
前記階調補正部は、隣接画素の画素値を、高階調の画素の画素値および低階調の画素の画素値に変換する階調補正を前記入力画像データに施し、前記高階調に変換された画素が前記補正無しを表し、前記低階調に変換された画素が前記補正有りを表す前記補正有無情報を出力する請求項１に記載の液晶表示装置。
【請求項３】
前記階調補正部は、前記隣接画素の画素値を、前記高階調の画素の画素値および前記低階調の画素の画素値に変換する第１および第２のLUTを備え、
前記第１および第２のLUTは、前記高階調の画素の輝度と前記低階調の画素の輝度との平均が、前記隣接画素の輝度と等しくなるように設定される請求項２に記載の液晶表示装置。
【請求項４】
前記隣接画素の画素値を、前記高階調の画素の画素値および前記低階調の画素の画素値に変換する階調補正は、中間階調の画素または領域の画素値を、前記高階調の画素の画素値と前記低階調の画素の画素値とを組み合わせて表現するように変換する視野角改善処理である請求項２または３に記載の液晶表示装置。
【請求項５】
前記視野角改善処理は、前記高階調の画素の画素値と前記低階調の画素の画素値とを、空間的および時間的の少なくとも一方に多重化することにより実施される請求項４に記載の液晶表示装置。
【請求項６】
前記階調補正部は、前記階調補正を前記入力画像データに１画素単位で施して前記階調補正データおよび前記補正有無情報を前記１画素単位で出力し、
前記低階調補正部は、前記低階調補正を前記階調補正データに前記１画素単位で施して前記低階調補正データを前記１画素単位で出力し、
前記第１の処理判定部は、前記補正有無情報が補正無しを表す場合に前記階調補正データを前記１画素単位で出力し、前記補正有無情報が補正有りを表す場合に前記低階調補正データを前記１画素単位で出力し、
前記フレームバッファは、前記補正有無情報を前記１画素単位で格納し、
前記逆低階調補正部は、前記逆低階調補正を前記伸張データに前記１画素単位で施して前記逆低階調補正データを前記１画素単位で出力し、
前記第２の処理判定部は、前記フレームバッファから読み出された補正有無情報が補正無しを表す場合に前記伸張データを前記１画素単位で出力し、前記フレームバッファから読み出された補正有無情報が補正有りを表す場合に前記逆低階調補正データを前記１画素単位で出力する請求項１ないし５のいずれか一項に記載の液晶表示装置。
【請求項７】
前記階調補正部は、前記階調補正を前記入力画像データに複数の画素単位で施して前記階調補正データおよび前記補正有無情報を前記複数の画素単位で出力し、
前記低階調補正部は、前記低階調補正を前記階調補正データに前記複数の画素単位で施して前記低階調補正データを前記複数の画素単位で出力し、
前記第１の処理判定部は、前記補正有無情報が補正無しを表す場合に前記階調補正データを前記複数の画素単位で出力し、前記補正有無情報が補正有りを表す場合に前記低階調補正データを前記複数の画素単位で出力し、
前記フレームバッファは、前記補正有無情報を前記複数の画素単位で格納し、
前記逆低階調補正部は、前記逆低階調補正を前記伸張データに前記複数の画素単位で施して前記逆低階調補正データを前記複数の画素単位で出力し、
前記第２の処理判定部は、前記フレームバッファから読み出された補正有無情報が補正無しを表す場合に前記伸張データを前記複数の画素単位で出力し、前記フレームバッファから読み出された補正有無情報が補正有りを表す場合に前記逆低階調補正データを前記複数の画素単位で出力する請求項１ないし５のいずれか一項に記載の液晶表示装置。
【請求項８】
前記階調補正部は、RGB毎に異なる前記補正有無情報を出力する請求項６または７に記載の液晶表示装置。
【請求項９】
前記階調補正部は、RGB共通で１つの前記補正有無情報を出力する請求項６または７に記載の液晶表示装置。
【請求項１０】
マトリックスに含まれる複数の画素のRBG毎の補正有無情報であるマトリックス補正有無情報を格納するレジスタを備え、
前記階調補正部は、前記階調補正を前記入力画像データにマトリックス単位で施して前記階調補正データおよび前記補正有無情報を前記マトリックス単位で出力し、
前記低階調補正部は、前記低階調補正を前記階調補正データに前記マトリックス単位で施して前記低階調補正データを前記マトリックス単位で出力し、
前記第１の処理判定部は、前記補正有無情報が補正無しを表す場合に前記階調補正データを前記マトリックス単位で出力し、前記補正有無情報が補正有りを表す場合に前記レジスタから前記複数の画素のRGB毎のマトリックス補正有無情報を取得し、前記マトリックスに含まれる画素毎に、かつ、前記RGB毎に、前記レジスタから取得したマトリックス補正有無情報が補正無しを表す場合に前記階調補正データを出力し、前記レジスタから取得したマトリックス補正有無情報が補正有りを表す場合に前記低階調補正データを出力し、
前記フレームバッファは、前記補正有無情報を前記マトリックス単位で格納し、
前記逆低階調補正部は、前記逆低階調補正を前記伸張データに前記マトリックス単位で施して前記逆低階調補正データを前記マトリックス単位で出力し、
前記第２の処理判定部は、前記フレームバッファから読み出された補正有無情報が補正無しを表す場合に前記伸張データを前記マトリックス単位で出力し、前記フレームバッファから読み出された補正有無情報が補正有りを表す場合に前記レジスタから前記複数の画素のRGB毎のマトリックス補正有無情報を取得し、前記マトリックスに含まれる画素毎に、かつ、前記RGB毎に、前記レジスタから取得したマトリックス補正有無情報が補正無しを表す場合に前記伸張データを出力し、前記レジスタから取得したマトリックス補正有無情報が補正有りを表す場合に前記逆低階調補正データを出力する請求項１ないし５のいずれか一項に記載の液晶表示装置。
【請求項１１】
前記マトリックス補正有無情報の内容が異なる２以上の前記レジスタを備え、
前記補正有無情報は、前記補正有りを表す場合に前記２以上のレジスタの中から１つのレジスタを指定する情報を含み、
前記第１の処理判定部は、前記補正有無情報が補正無しを表す場合に前記階調補正データを前記マトリックス単位で出力し、前記補正有無情報が補正有りを表す場合に前記補正有無情報により指定される１つのレジスタから前記複数の画素のRGB毎のマトリックス補正有無情報を取得し、前記マトリックスに含まれる画素毎に、かつ、前記RGB毎に、前記１つのレジスタから取得したマトリックス補正有無情報が補正無しを表す場合に前記階調補正データを出力し、前記１つのレジスタから取得したマトリックス補正有無情報が補正有りを表す場合に前記低階調補正データを出力し、
前記第２の処理判定部は、前記フレームバッファから読み出された補正有無情報が補正無しを表す場合に前記伸張データを前記マトリックス単位で出力し、前記フレームバッファから読み出された補正有無情報が補正有りを表す場合に前記１つのレジスタから前記複数の画素のRGB毎のマトリックス補正有無情報を取得し、前記マトリックスに含まれる画素毎に、かつ、前記RGB毎に、前記１つのレジスタから取得したマトリックス補正有無情報が補正無しを表す場合に前記伸張データを出力し、前記１つのレジスタから取得したマトリックス補正有無情報が補正有りを表す場合に前記逆低階調補正データを出力する請求項１０に記載の液晶表示装置。
【発明の詳細な説明】
【技術分野】
【０００１】
本発明は、画像処理として、階調補正およびオーバドライブ処理を画像データに施して、画像処理後の画像データに対応する画像を表示する液晶表示装置に関する。
【背景技術】
【０００２】
階調補正として、例えば、液晶表示パネル部の視野角が狭いという問題を改善するために、視野角特性の悪い中間階調の画素（ピクセル）または領域の画素値を、視野角特性の良い高階調の画素の画素値と低階調の画素の画素値とを組み合わせて表現するように変換する視野角改善処理がある（特許文献１参照）。画素値は、RGB（赤緑青）のそれぞれを例えば８ビットで表現した値[0:255]とする。この場合、黒は、R:0, G:0, B:0となり、白は、R:255, G:255, B:255となり、最大の赤は、R:255, G:0, B:0となる。
【０００３】
一方、液晶表示パネル部の応答速度を改善するために、現在のフレームの１フレーム前の画像データの画素の画素値を参照して、現在のフレームの画像データの対応する画素の出力値を決定するオーバドライブ処理がある。
【０００４】
オーバドライブ処理では、１フレーム前の画像データの保存用のフレームバッファのメモリ容量を削減する目的で１フレーム前の画像データの圧縮処理が行われる。圧縮処理の手法としては、隣接画素の画素値の相関が高いことを利用して周辺画素（符号化対象画素に隣接した画素）の画素値から注目画素（符号化対象画素）の画素値の予測を行い、その予測値と実際値との差分を符号化するＪＰＥＧ（Joint Photographic Experts Group）−ＬＳ（lossless）およびＪＰＥＧ  ＤＰＣＭ（differential PCM）等が知られている。
【０００５】
上記の圧縮手法では、隣接画素の画素値の相関が高い場合には高い圧縮率を得ることができるが、隣接画素の画素値の相関が低い場合には高い圧縮率を得ることができない。視野角改善処理が施された画像は、高階調の画素の画素値と低階調の画素の画素値とが隣接して配置されることから隣接画素間の画素値の相関が低くなり、圧縮効率が下がるために、圧縮率を一定にすると画質が劣化する。
【０００６】
また、１フレーム前の画像の画質の劣化によりオーバドライブ処理で誤差が発生し、液晶表示装置の表示品質が低下する。
【０００７】
これに対し、例えば、視野角改善処理が施される前の画像データをフレームバッファに保存することにより圧縮効率の問題は解決可能であるが、現在のフレームの画像データだけでなく、１フレーム前の画像データに対しても階調補正を行う必要があるため、回路規模が増加する。
【０００８】
また、画像処理によって相関が低くなった隣接画素を予測値として使用するのではなく、画像処理を行った別領域の画素を圧縮処理の際の予測値として使用する方法（特許文献２参照）があるが、本来の隣接画素ゆえの相関の高さは無視されることになる。
【０００９】
なお、視野角改善処理に限らず、隣接画素の画素値を、高階調の画素の画素値および低階調の画素の画素値に変換する階調補正を行った場合には、隣接画素間の画素値の相関が低くなるため、視野角改善処理と同様に画質の劣化が起こると考えられる。
【先行技術文献】
【特許文献】
【００１０】
【特許文献１】特開２０１５−１４８７１９号公報
【特許文献２】特許第４１３３６７８号公報
【発明の概要】
【発明が解決しようとする課題】
【００１１】
本発明の目的は、階調補正およびオーバドライブ処理を行う液晶表示装置において、回路規模の増加を抑えつつ、階調補正後の画像データの圧縮効率を改善することができる液晶表示装置を提供することにある。
【課題を解決するための手段】
【００１２】
上記目的を達成するために、本発明は、階調補正を入力画像データに施して階調補正データを出力し、かつ、前記入力画像データの階調を下げる方向への階調補正の有無を表す補正有無情報を出力する階調補正部と、
低階調領域の階調を持ち上げる低階調補正を前記階調補正データに施して低階調補正データを出力する低階調補正部と、
第１の処理データとして、前記補正有無情報が補正無しを表す場合に前記階調補正データを出力し、前記補正有無情報が補正有りを表す場合に前記低階調補正データを出力する第１の処理判定部と、
前記第１の処理データを圧縮して圧縮データを出力する圧縮部と、
前記圧縮データおよび前記補正有無情報を格納するフレームバッファと、
前記フレームバッファから読み出された圧縮データを伸張して伸張データを出力する伸張部と、
前記低階調補正が施されて階調が持ち上げられた前記低階調領域の階調を下げる逆低階調補正を前記伸張データに施して逆低階調補正データを出力する逆低階調補正部と、
第２の処理データとして、前記フレームバッファから読み出された補正有無情報が補正無しを表す場合に前記伸張データを出力し、前記フレームバッファから読み出された補正有無情報が補正有りを表す場合に前記逆低階調補正データを出力する第２の処理判定部と、
現在のフレームの１フレーム前の画像データとなる前記第２の処理データに基づいて、オーバドライブ処理を前記現在のフレームの画像データとなる前記階調補正データに施してオーバドライブデータを出力するオーバドライブ部と、
前記オーバドライブデータに対応する画像を表示する液晶表示パネル部とを備える液晶表示装置を提供する。
【００１３】
ここで、前記階調補正部は、隣接画素の画素値を、高階調の画素の画素値および低階調の画素の画素値に変換する階調補正を前記入力画像データに施し、前記高階調に変換された画素が前記補正無しを表し、前記低階調に変換された画素が前記補正有りを表す前記補正有無情報を出力することが好ましい。
【００１４】
また、前記階調補正部は、前記隣接画素の画素値を、前記高階調の画素の画素値および前記低階調の画素の画素値に変換する第１および第２のLUTを備え、
前記第１および第２のLUTは、前記高階調の画素の輝度と前記低階調の画素の輝度との平均が、前記隣接画素の輝度と等しくなるように設定されることが好ましい。
【００１５】
また、前記隣接画素の画素値を、前記高階調の画素の画素値および前記低階調の画素の画素値に変換する階調補正は、中間階調の画素または領域の画素値を、前記高階調の画素の画素値と前記低階調の画素の画素値とを組み合わせて表現するように変換する視野角改善処理であることが好ましい。
【００１６】
また、前記視野角改善処理は、前記高階調の画素の画素値と前記低階調の画素の画素値とを、空間的および時間的の少なくとも一方に多重化することにより実施されることが好ましい。
【００１７】
また、前記階調補正部は、前記階調補正を前記入力画像データに１画素単位で施して前記階調補正データおよび前記補正有無情報を前記１画素単位で出力し、
前記低階調補正部は、前記低階調補正を前記階調補正データに前記１画素単位で施して前記低階調補正データを前記１画素単位で出力し、
前記第１の処理判定部は、前記補正有無情報が補正無しを表す場合に前記階調補正データを前記１画素単位で出力し、前記補正有無情報が補正有りを表す場合に前記低階調補正データを前記１画素単位で出力し、
前記フレームバッファは、前記補正有無情報を前記１画素単位で格納し、
前記逆低階調補正部は、前記逆低階調補正を前記伸張データに前記１画素単位で施して前記逆低階調補正データを前記１画素単位で出力し、
前記第２の処理判定部は、前記フレームバッファから読み出された補正有無情報が補正無しを表す場合に前記伸張データを前記１画素単位で出力し、前記フレームバッファから読み出された補正有無情報が補正有りを表す場合に前記逆低階調補正データを前記１画素単位で出力することが好ましい。
【００１８】
また、前記階調補正部は、前記階調補正を前記入力画像データに複数の画素単位で施して前記階調補正データおよび前記補正有無情報を前記複数の画素単位で出力し、
前記低階調補正部は、前記低階調補正を前記階調補正データに前記複数の画素単位で施して前記低階調補正データを前記複数の画素単位で出力し、
前記第１の処理判定部は、前記補正有無情報が補正無しを表す場合に前記階調補正データを前記複数の画素単位で出力し、前記補正有無情報が補正有りを表す場合に前記低階調補正データを前記複数の画素単位で出力し、
前記フレームバッファは、前記補正有無情報を前記複数の画素単位で格納し、
前記逆低階調補正部は、前記逆低階調補正を前記伸張データに前記複数の画素単位で施して前記逆低階調補正データを前記複数の画素単位で出力し、
前記第２の処理判定部は、前記フレームバッファから読み出された補正有無情報が補正無しを表す場合に前記伸張データを前記複数の画素単位で出力し、前記フレームバッファから読み出された補正有無情報が補正有りを表す場合に前記逆低階調補正データを前記複数の画素単位で出力することが好ましい。
【００１９】
また、前記階調補正部は、RGB毎に異なる前記補正有無情報を出力することが好ましい。
【００２０】
あるいは、前記階調補正部は、RGB共通で１つの前記補正有無情報を出力することが好ましい。
【００２１】
また、マトリックスに含まれる複数の画素のRBG毎の補正有無情報であるマトリックス補正有無情報を格納するレジスタを備え、
前記階調補正部は、前記階調補正を前記入力画像データにマトリックス単位で施して前記階調補正データおよび前記補正有無情報を前記マトリックス単位で出力し、
前記低階調補正部は、前記低階調補正を前記階調補正データに前記マトリックス単位で施して前記低階調補正データを前記マトリックス単位で出力し、
前記第１の処理判定部は、前記補正有無情報が補正無しを表す場合に前記階調補正データを前記マトリックス単位で出力し、前記補正有無情報が補正有りを表す場合に前記レジスタから前記複数の画素のRGB毎のマトリックス補正有無情報を取得し、前記マトリックスに含まれる画素毎に、かつ、前記RGB毎に、前記レジスタから取得したマトリックス補正有無情報が補正無しを表す場合に前記階調補正データを出力し、前記レジスタから取得したマトリックス補正有無情報が補正有りを表す場合に前記低階調補正データを出力し、
前記フレームバッファは、前記補正有無情報を前記マトリックス単位で格納し、
前記逆低階調補正部は、前記逆低階調補正を前記伸張データに前記マトリックス単位で施して前記逆低階調補正データを前記マトリックス単位で出力し、
前記第２の処理判定部は、前記フレームバッファから読み出された補正有無情報が補正無しを表す場合に前記伸張データを前記マトリックス単位で出力し、前記フレームバッファから読み出された補正有無情報が補正有りを表す場合に前記レジスタから前記複数の画素のRGB毎のマトリックス補正有無情報を取得し、前記マトリックスに含まれる画素毎に、かつ、前記RGB毎に、前記レジスタから取得したマトリックス補正有無情報が補正無しを表す場合に前記伸張データを出力し、前記レジスタから取得したマトリックス補正有無情報が補正有りを表す場合に前記逆低階調補正データを出力することが好ましい。
【００２２】
また、前記マトリックス補正有無情報の内容が異なる２以上の前記レジスタを備え、
前記補正有無情報は、前記補正有りを表す場合に前記２以上のレジスタの中から１つのレジスタを指定する情報を含み、
前記第１の処理判定部は、前記補正有無情報が補正無しを表す場合に前記階調補正データを前記マトリックス単位で出力し、前記補正有無情報が補正有りを表す場合に前記補正有無情報により指定される１つのレジスタから前記複数の画素のRGB毎のマトリックス補正有無情報を取得し、前記マトリックスに含まれる画素毎に、かつ、前記RGB毎に、前記１つのレジスタから取得したマトリックス補正有無情報が補正無しを表す場合に前記階調補正データを出力し、前記１つのレジスタから取得したマトリックス補正有無情報が補正有りを表す場合に前記低階調補正データを出力し、
前記第２の処理判定部は、前記フレームバッファから読み出された補正有無情報が補正無しを表す場合に前記伸張データを前記マトリックス単位で出力し、前記フレームバッファから読み出された補正有無情報が補正有りを表す場合に前記１つのレジスタから前記複数の画素のRGB毎のマトリックス補正有無情報を取得し、前記マトリックスに含まれる画素毎に、かつ、前記RGB毎に、前記１つのレジスタから取得したマトリックス補正有無情報が補正無しを表す場合に前記伸張データを出力し、前記１つのレジスタから取得したマトリックス補正有無情報が補正有りを表す場合に前記逆低階調補正データを出力することが好ましい。
【発明の効果】
【００２３】
本発明では、圧縮前に、第１の処理判定部により、補正有無情報に基づいて、低階調補正部を利用して、階調を上げる方向への階調補正の簡易的な変換が行われる。また、伸張後に、第２の処理判定部により、補正有無情報に基づいて、逆低階調補正部を利用して、階調を下げる方向への階調補正の簡易的な逆変換が行われる。
【００２４】
このように、オーバドライブ処理のために設けられている低階調補正部および逆低階調補正部を利用して、階調を上げる方向への階調補正の簡易的な変換および階調を下げる方向への階調補正の簡易的な逆変換を行うことにより回路規模の増加を抑えることができるため、コストを削減することができる。
【００２５】
また、階調を上げる方向への階調補正の簡易的な変換を行うことにより、階調を下げる方向への階調補正が行われた場合であっても、隣接画素間の画素値の相関を高くすることができるため、圧縮効率を向上させることができ、１フレーム前の画像の画質を向上させることができる。また、１フレーム前の画像の画質が向上されることにより、オーバドライブ処理の精度を向上させることができるため、液晶表示装置の表示品質を向上させることができる。
【図面の簡単な説明】
【００２６】
【図１】本発明の液晶表示装置の構成を表す一実施形態のブロック図である。
【図２】視野角改善処理用の第１および第２のLUTの変換特性を表す一例のグラフである。
【図３】高階調の画素の画素値と低階調の画素の画素値とを空間的に多重化した一例の概念図である。
【図４】低階調補正および逆低階調補正の各画素の画素値を表す一例のグラフである。
【図５】４×４のマトリックスに含まれる１６画素のRGB毎のマトリックス補正有無情報を表す一例の概念図である。
【発明を実施するための形態】
【００２７】
以下に、添付の図面に示す好適実施形態に基づいて、本発明の液晶表示装置を詳細に説明する。
【００２８】
図１は、本発明の液晶表示装置の構成を表す一実施形態のブロック図である。図１に示す液晶表示装置１０は、画像処理として、階調補正およびオーバドライブ処理を入力画像データ（入力画像）に施して、画像処理後の入力画像データに対応する画像を表示する。液晶表示装置１０は、階調補正部１２と、圧縮処理部１４と、フレームバッファ１６と、伸張処理部１８と、オーバドライブ部２０と、液晶表示パネル部２２とを備えている。
【００２９】
階調補正部１２には、入力画像データが外部から入力される。階調補正部１２は、階調補正を入力画像データに施して、階調補正後の入力画像データである階調補正データおよび補正有無情報を出力する。
【００３０】
入力画像データは、例えば、RGB（赤緑青）色空間の画像データの他、同期信号等を含む。なお、画像データとして、例えば、YUV（Y：輝度およびUV：色差）色空間のように、RGB色空間以外の色空間の画像データを使用してもよい。また、同期信号は、例えば、クロック信号、有効な画像データなのか否かを表すデータイネーブル信号、水平同期信号および垂直同期信号等を含む。
【００３１】
補正有無情報は、入力画像データの階調を下げる方向に階調補正を行ったか否か、つまり、入力画像データの階調を下げる方向への階調補正の有無を表すデータである。
【００３２】
続いて、圧縮処理部１４は、低階調補正部２４と、第１の処理判定部２６と、圧縮部２８とを備えている。
【００３３】
低階調補正部２４には、階調補正データが階調補正部１２から入力される。低階調補正部２４は、オーバドライブ処理のために設けられているものであり、低階調領域の階調を持ち上げる（低階調領域の階調により多くのビットを割り当てる）低階調補正を階調補正データに施して、低階調補正後の階調補正データである低階調補正データを出力する。
【００３４】
オーバドライブ処理では、現在のフレームの画像データと現在のフレームの１フレーム前の画像データとを比較してオーバドライブ量が決定される。例えば、１フレーム前の画像データが低階調であった場合にオーバドライブ量の変化が大きくなることから、１フレーム前の画像データの圧縮誤差は出力画像に大きな影響を与えることになる。また、人間の視覚特性から、低階調の画像の劣化は見た目に目立つ、という問題もある。
【００３５】
これらの解決策として、オーバドライブ処理を行う液晶表示装置では、１フレーム前の画像データが低階調である場合に、１フレーム前の画像データの圧縮誤差を低減するために、圧縮前に、低階調領域の階調を持ち上げる低階調補正が施され、伸張後に、低階調補正が施されて階調が持ち上げられた低階調領域の階調を下げる（元に戻す）逆低階調補正が施される。
【００３６】
続いて、第１の処理判定部２６には、階調補正データおよび補正有無情報が階調補正部１２から入力され、低階調補正データが低階調補正部２４から入力される。第１の処理判定部２６は、第１の処理データとして、補正有無情報が補正無しを表す場合に階調補正データを出力し、補正有無情報が補正有りを表す場合に低階調補正データを出力する。
【００３７】
続いて、圧縮部２８には、第１の処理データが第１の処理判定部２６から入力される。圧縮部２８は、第１の処理データを圧縮して、圧縮後の第１の処理データである圧縮データを出力する。
【００３８】
圧縮部２８における圧縮手法は特に限定されないが、前述のように、周辺画素の画素値から注目画素の画素値の予測を行い、その予測値と実際値との差分を符号化するＪＰＥＧ−ＬＳおよびＪＰＥＧ  ＤＰＣＭ等を利用することができる。
【００３９】
続いて、フレームバッファ１６には、補正有無情報が階調補正部１２から入力され、圧縮データが圧縮部２８から入力される。フレームバッファ１６は、圧縮データおよび補正有無情報を格納（保存）する。
【００４０】
補正有無情報は、図１に示すように、圧縮処理部１４の第１の処理判定部２６だけでなく、次に説明する伸張処理部１８の第２の処理判定部３４においても使用されるため、圧縮データと共にフレームバッファ１６に格納される。
【００４１】
続いて、伸張処理部１８は、伸張部３０と、逆低階調補正部３２と、第２の処理判定部３４とを備えている。
【００４２】
伸張部３０には、フレームバッファ１６から読み出された圧縮データが入力される。伸張部３０は、フレームバッファ１６から読み出された圧縮データを伸張して、伸張後の圧縮データである伸張データを出力する。
【００４３】
伸張部３０における伸張手法は、圧縮部２８における圧縮手法に一致する伸張手法が使用される。例えば、圧縮手法がＪＰＥＧ−ＬＳである場合には、伸張手法としてＪＰＥＧ−ＬＳが使用される。
【００４４】
続いて、逆低階調補正部３２には、伸張データが伸張部３０から入力される。逆低階調補正部３２は、オーバドライブ処理のために設けられているものであり、低階調補正が施されて階調が持ち上げられた低階調領域の階調を下げる逆低階調補正を伸張データに施して、逆低階調補正後の伸張データである逆低階調補正データを出力する。
【００４５】
逆低階調補正部３２における逆低階調補正は、低階調補正部２４における低階調補正に対応するものが使用される。
【００４６】
続いて、第２の処理判定部３４には、伸張データが伸張部３０から入力され、逆低階調補正データが逆低階調補正部３２から入力され、フレームバッファ１６から読み出された補正有無情報が入力される。第２の処理判定部３４は、第２の処理データとして、フレームバッファ１６から読み出された補正有無情報が補正無しを表す場合に伸張データを出力し、フレームバッファ１６から読み出された補正有無情報が補正有りを表す場合に逆低階調補正データを出力する。
【００４７】
続いて、オーバドライブ部２０には、階調補正データが階調補正部１２から入力され、第２の処理データが第２の処理判定部３４から入力される。オーバドライブ部２０は、１フレーム前の画像データとなる第２の処理データに基づいて、オーバドライブ処理を現在のフレームの画像データとなる階調補正データに施して、オーバドライブ処理後の階調補正データであるオーバドライブデータを出力する。
【００４８】
最後に、液晶表示パネル部２２には、オーバドライブデータがオーバドライブ部２０から入力される。液晶表示パネル部２２は、オーバドライブデータに対応する画像を表示する。
【００４９】
次に、階調補正部１２についてさらに説明する。
【００５０】
本実施形態の場合、階調補正部１２は、階調補正の一例として、視野角改善処理を入力画像データに施す。視野角改善処理の場合、補正有無情報は、高階調に変換された画素が補正無しを表し、低階調に変換された画素が補正有りを表すデータとなる。
【００５１】
階調補正部１２は、視野角改善処理を行うために、例えば、中間階調の画素または領域の画素値を、高階調の画素の画素値および低階調の画素の画素値に変換する第１および第２のLUT（look-up table：ルックアップテーブル）を備える。第１および第２のLUTは、高階調の画素の輝度と低階調の画素の輝度との平均が、中間階調の画素または領域の輝度と等しくなるように設定される。
【００５２】
図２は、視野角改善処理用の第１および第２のLUTの変換特性を表す一例のグラフである。図２のグラフの横軸はLUTへの入力値を表し、縦軸はLUTからの出力値を表す。また、実線は、第１のLUTの変換特性を表し、破線は、第２のLUTの変換特性を表す。なお、LUTへの入力値およびLUTからの出力値は、入力画像データおよび現在のフレームの画像データを０から１までの値で表したものである。
【００５３】
ｘをLUTへの入力値、ｙをLUTからの出力値として、例えば、図２のグラフに示すように、高階調の画素の画素値への変換用の第１のLUTの変換特性をｙ＝ｘ＾0.6とし、低階調の画素の画素値への変換用の第２のLUTの変換特性をｙ＝ｘ＾1.4とすることにより、第１および第２のLUTとして、高階調の画素の輝度と低階調の画素の輝度との平均が、中間階調の画素または領域の輝度とほぼ等しくなるLUTを得ることができる。
【００５４】
一般的に、視野角改善処理は、高階調の画素の画素値と低階調の画素の画素値とを空間的および時間的の少なくとも一方に多重化して表示することにより実施され、高階調の画素の輝度と低階調の画素の輝度との平均に対応する輝度が人間の目に知覚される。
【００５５】
空間的多重化の場合、画素の位置に応じて、高階調の画素の画素値と低階調の画素の画素値のどちらを出力するかを決定する。例えば、マトリックスで表示される領域において、高階調の画素の画素値と低階調の画素の画素値とを千鳥状に表示する方法がある。
【００５６】
図３は、高階調の画素の画素値と低階調の画素の画素値とを空間的に多重化した一例の概念図である。図３の左側は、２×２のマトリックスで表示された中間階調の領域の画素値に対応する画像を表す。この中間階調の領域を空間的に多重化する場合、例えば、図３の右側に示すように、２×２のマトリックスの右上および左下の画素を高階調の画素の画素値で表示し、左上および右下の画素を低階調の画素の画素値で表示する。
【００５７】
また、時間的多重化の場合、例えば、高階調の画素の画素値と低階調の画素の画素値とを、１フレーム毎に交互に入れ替えて出力する方法がある。
【００５８】
なお、空間的多重化の場合、２×２のマトリックスに限らず、任意の形状の中間階調の領域において、高階調の画素の画素値と低階調の画素の画素値とを任意のパターンで配置して表示することができる。また、時間的多重化の場合、高階調の画素の画素値と低階調の画素の画素値とを、１フレーム毎に入れ替えて出力することに限らず、複数フレーム毎に入れ替えて出力してもよい。
【００５９】
また、視野角改善処理を、例えば、エッジ部分および特定の色の領域等のように、特定の画像（パターン）に対して行った場合、高階調の画素の画素値と低階調の画素の画素値との組み合わせにより明暗のパターンが見える、チラツキまたは粒状感を感じる等の副作用が発生することがある。そのため、入力画像データに応じて、エッジ部分の検出および特定の色の領域の判定等を行って階調補正を行うか否かを制御してもよい。
【００６０】
階調補正部１２は、入力画像データに基づいて、エッジ部分を検出するエッジ検出部と、入力画像データに基づいて、特定の色の領域を判定する色相判定部とを備えてもよい。エッジ検出部により、階調補正をエッジ部分に施さないように制御したり、色相判定部により、階調補正を特定の色の領域に施さないように制御したり、あるいは、階調補正をエッジ部分および特定の色の領域に施さないように制御したりすることができる。
【００６１】
なお、本発明は、視野角改善処理に限らず、階調を下げる方向への階調補正を入力画像データに施す場合に適用可能である。例えば、隣接画素の画素値を、高階調の画素の画素値から低階調の画素の画素値に変換する階調補正を入力画像データに施してもよい。
【００６２】
次に、低階調補正部２４および逆低階調補正部３２についてさらに説明する。
【００６３】
例えば、低階調補正部２４における低階調補正および逆低階調補正部３２における逆低階調補正は図４に示す通りである。
ここで、入力画素値は、階調補正を行う画素の画素値で、実線で示す低階調補正は、出力される低階調補正用の画素値、破線で示す逆低階調補正は、出力される逆低階調補正用の画素値である。なお、低階調補正および逆低階調補正の関係式は、図４に限らず、対応する任意の関係式を使用することができる。
【００６４】
図４は、低階調補正および逆低階調補正の各画素の画素値を表す一例のグラフである。図４のグラフの横軸は入力画素値を表し、縦軸は出力画素値を表す。低階調補正の場合、横軸は階調補正データの画素の画素値を表し、縦軸は低階調補正データの画素の画素値を表す。また、逆低階調補正の場合、横軸は低階調補正データの画素の画素値を表し、縦軸は逆低階調補正データの画素の画素値を表す。
【００６５】
低階調補正部２４は、図４に実線で示すように、低階調領域の階調を持ち上げるように、階調補正データの画素の画素値に低階調補正を施して低階調補正データの画素の画素値に変換する。また、逆低階調補正部３２は、図４に破線で示すように、低階調補正が施されて階調が持ち上げられた低階調領域の階調を下げるように、伸張データの画素の画素値に逆低階調補正を施して逆低階調補正データの画素の画素値に変換する。
【００６６】
次に、液晶表示装置１０の動作を説明する。
【００６７】
まず、階調補正部１２により、階調補正として、視野角改善処理が入力画像データに施され、階調補正部１２から階調補正データおよび補正有無情報が出力される。
【００６８】
続いて、低階調補正部２４により、低階調補正が階調補正データに施され、低階調補正部２４から低階調補正データが出力される。
【００６９】
続いて、第１の処理判定部２６から、第１の処理データとして、補正有無情報が補正無しを表す場合に階調補正データが出力され、補正有無情報が補正有りを表す場合に低階調補正データが出力される。
【００７０】
階調補正として、視野角改善処理を行う場合、高階調に変換された画素の補正有無情報は補正無しを表し、低階調に変換された画素の補正有無情報は補正有りを表す。そのため、第１の処理判定部２６は、高階調に変換された画素については、低階調補正が施されていない階調補正データを選択して出力し、低階調に変換された画素については、低階調補正が施された低階調補正データを選択して出力する。
【００７１】
続いて、圧縮部２８により、第１の処理データが圧縮され、圧縮部２８から圧縮データが出力される。
【００７２】
例えば、入力画像データの画素の画素値が８０の場合、入力画像データの画素の画素値の８０は、階調補正部１２により、高階調の画素の画素値が１２７（=(80/256)^0.6*256）、低階調の画素の画素値が５０（=(80/256)^1.4*256）の階調補正データに変換される。また、階調補正データの低階調の画素の画素値の５０は、低階調補正部２４により、低階調の画素の画素値が１１２の低階調補正データに変換される（図４の低階調補正参照）。
【００７３】
階調補正データの場合、高階調の画素の画素値の１２７と低階調の画素の画素値の５０との差分は７７であり、低階調補正データの場合、高階調の画素の画素値の１２７と低階調の画素の画素値の１１２との差分は１５である。従って、低階調補正を低階調の画素の画素値に施すことにより、高階調の画素の画素値と低階調の画素の画素値との相関が高くなり、圧縮部２８による圧縮効率を向上させることができる。
【００７４】
続いて、圧縮データおよび補正有無情報がフレームバッファ１６に格納される。
【００７５】
続いて、フレームバッファ１６から圧縮データが読み出され、伸張部３０により、フレームバッファ１６から読み出された圧縮データが伸張され、伸張部３０から伸張データが出力される。
【００７６】
続いて、逆低階調補正部３２により、逆低階調補正が伸張データに施され、逆低階調補正部３２から逆低階調補正データが出力される。
【００７７】
続いて、フレームバッファ１６から補正有無情報が読み出され、第２の処理判定部３４から、第２の処理データとして、フレームバッファ１６から読み出された補正有無情報が補正無しを表す場合に伸張データが出力され、フレームバッファ１６から読み出された補正有無情報が補正有りを表す場合に逆低階調補正データが出力される。
【００７８】
続いて、オーバドライブ部２０により、１フレーム前の画像データとなる第２の処理データに基づいて、オーバドライブ処理が現在のフレームの画像データとなる階調補正データに施され、オーバドライブ部２０からオーバドライブデータが出力される。
【００７９】
そして、オーバドライブデータに対応する画像が液晶表示パネル部２２に表示される。
【００８０】
上記のように、液晶表示装置１０では、画像データの圧縮前に、第１の処理判定部２６により、補正有無情報に基づいて、低階調補正部２４を利用して、階調を上げる方向への階調補正の簡易的な変換が行われる。また、画像データの伸張後に、第２の処理判定部３４により、補正有無情報に基づいて、逆低階調補正部３２を利用して、階調を下げる方向への階調補正の簡易的な逆変換が行われる。
【００８１】
このように、オーバドライブ処理のために設けられている低階調補正部２４および逆低階調補正部３２を利用して、階調を上げる方向への階調補正の簡易的な変換および階調を下げる方向への階調補正の簡易的な逆変換を行うことにより回路規模の増加を抑えることができるため、コストを削減することができる。
【００８２】
また、階調を上げる方向への階調補正の簡易的な変換を行うことにより、階調を下げる方向への階調補正が行われた場合であっても、隣接画素間の画素値の相関を高くすることができるため、圧縮効率を向上させることができ、１フレーム前の画像の画質を向上させることができる。また、１フレーム前の画像の画質が向上されることにより、オーバドライブ処理の精度を向上させることができるため、液晶表示装置１０の表示品質を向上させることができる。
【００８３】
最後に、補正有無情報の圧縮方法について説明する。
【００８４】
最小の１画素単位で階調補正を制御する場合、補正有無情報は、入力画像データの１画素毎に、かつ、RGB毎に、補正無し（例えば、０）なのか補正有り（例えば、１）なのかを表すデータとなり、データ量は１画素当たり３ビット（RGB各１ビット）となる。
【００８５】
１画素単位のRGB毎に階調補正を制御する場合、階調補正部１２により、階調補正が入力画像データに１画素単位のRGB毎に施されて階調補正データおよび補正有無情報が１画素単位のRGB毎に出力される。
【００８６】
続いて、低階調補正部２４により、低階調補正が階調補正データに１画素単位のRGB毎に施されて低階調補正データが１画素単位のRGB毎に出力される。
【００８７】
続いて、第１の処理判定部２６から、補正有無情報が補正無しを表す場合に階調補正データが１画素単位のRGB毎に出力され、補正有無情報が補正有りを表す場合に低階調補正データが１画素単位のRGB毎に出力される。
【００８８】
続いて、圧縮部２８により、第１の処理データが圧縮されて圧縮データが出力される。
【００８９】
続いて、圧縮データがフレームバッファ１６に格納されると共に、補正有無情報が１画素単位のRGB毎にフレームバッファ１６に格納される。
【００９０】
続いて、フレームバッファ１６から圧縮データが読み出され、伸張部３０により、フレームバッファ１６から読み出された圧縮データが伸張されて伸張データが出力される。
【００９１】
続いて、逆低階調補正部３２により、逆低階調補正が伸張データに１画素単位のRGB毎に施されて逆低階調補正データが１画素単位のRGB毎に出力される。
【００９２】
続いて、フレームバッファ１６から補正有無情報が読み出され、第２の処理判定部３４から、フレームバッファ１６から読み出された補正有無情報が補正無しを表す場合に伸張データが１画素単位のRGB毎に出力され、フレームバッファ１６から読み出された補正有無情報が補正有りを表す場合に逆低階調補正データが１画素単位のRGB毎に出力される。
【００９３】
また、複数の画素単位で階調補正を制御することができる。例えば、４画素単位で階調補正を制御する場合、補正有無情報は、４画素単位で、補正無しなのか補正有りなのかを表すデータとなる。つまり、４画素毎に１つの補正有無情報が出力される。１クロックで１画素を処理する場合、補正有無情報は４クロック毎に出力されるため、圧縮処理部１４では、例えば、クロック信号に基づいて、補正有無情報に対応する有効画素（４画素単位）を制御しながら第１の処理判定部２６等を制御する必要がある。伸張処理部１８においても同様である。
【００９４】
４画素単位で階調補正を制御する場合、階調補正部１２により、階調補正が入力画像データに４画素単位で施されて階調補正データおよび補正有無情報が４画素単位で出力される。
【００９５】
続いて、低階調補正部２４により、低階調補正が階調補正データに４画素単位で施されて低階調補正データが４画素単位で出力される。
【００９６】
続いて、第１の処理判定部２６から、補正有無情報が補正無しを表す場合に階調補正データが４画素単位で出力され、補正有無情報が補正有りを表す場合に低階調補正データが４画素単位で出力される。
【００９７】
続いて、圧縮部２８により、第１の処理データが圧縮されて圧縮データが出力される。
【００９８】
続いて、圧縮データフレームバッファ１６に格納されると共に、補正有無情報が４画素単位でフレームバッファ１６に格納される。
【００９９】
続いて、フレームバッファ１６から圧縮データが読み出され、伸張部３０により、フレームバッファ１６から読み出された圧縮データが伸張されて伸張データが出力される。
【０１００】
続いて、逆低階調補正部３２により、逆低階調補正が伸張データに４画素単位で施されて逆低階調補正データが４画素単位で出力される。
【０１０１】
続いて、フレームバッファ１６から補正有無情報が読み出され、第２の処理判定部３４から、フレームバッファ１６から読み出された補正有無情報が補正無しを表す場合に伸張データが４画素単位で出力され、フレームバッファ１６から読み出された補正有無情報が補正有りを表す場合に逆低階調補正データが４画素単位で出力される。
【０１０２】
４画素単位で階調補正を制御する場合、１画素単位で階調補正を制御する場合に比べて、補正有無情報のデータ量を１／４に減らすことができる。なお、４画素単位に限らず、任意の画素単位で階調補正を制御することができる。
【０１０３】
また、１画素単位または複数の画素単位で階調補正を制御する場合、RGB毎に異なる階調補正を施してもよいし、RBG共通で同じ階調補正を施してもよい。RGB毎に階調補正を施す場合、階調補正部１２は、RGB毎に異なる補正有無情報を出力する。一方、RGB共通で階調補正を施す場合、階調補正部１２は、RGB共通で１つの補正有無情報を出力する。RGB共通で階調補正を施す場合、RGB毎に階調補正を施す場合に比べて、補正有無情報のデータ量を１／３に減らすことができる。
【０１０４】
また、マトリックス単位で階調補正を制御することもできる。この場合、マトリックスに含まれる複数の画素のRBG毎の補正有無情報であるマトリックス補正有無情報を格納するレジスタを設ける。例えば、４×４のマトリックス単位で階調補正を制御する場合、補正有無情報は、４×４のマトリックス単位で、補正無しなのか補正有りなのかを表すデータとなる。つまり、１６画素毎に１つの補正有無情報が出力される。圧縮処理部１４では、例えば、前述の同期信号に基づいて、補正有無情報に対応する有効画素（１６画素単位）を制御しながら第１の処理判定部２６等を制御する。伸張処理部１８においても同様である。
【０１０５】
マトリックス単位で階調補正を制御する場合、階調補正部１２により、階調補正が入力画像データにマトリックス単位で施されて階調補正データおよび補正有無情報がマトリックス単位で出力される。
【０１０６】
続いて、低階調補正部２４により、低階調補正が階調補正データにマトリックス単位で施されて低階調補正データがマトリックス単位で出力される。
【０１０７】
続いて、第１の処理判定部２６から、補正有無情報が補正無しを表す場合に階調補正データがマトリックス単位で出力される。
一方、補正有無情報が補正有りを表す場合にレジスタからマトリックスに含まれる複数の画素のRGB毎のマトリックス補正有無情報が取得される。また、マトリックスに含まれる画素毎に、かつ、RGB毎に、第１の処理判定部２６から、レジスタから取得したマトリックス補正有無情報が補正無しを表す場合に階調補正データが出力され、レジスタから取得したマトリックス補正有無情報が補正有りを表す場合に低階調補正データが出力される。
【０１０８】
図５は、４×４のマトリックスに含まれる１６画素のRGB毎のマトリックス補正有無情報を表す一例の概念図である。例えば、図５に示す４×４のマトリックスに含まれる左上の画素のRGB毎のマトリックス補正有無情報は、R:ON, G:OFF, B:ONであり、ONは補正有り、OFFは補正無しを表す。左上の画素の場合、第１の処理判定部２６から、Rの低階調補正データ、Gの階調補正データおよびBの低階調補正データが出力される。４×４のマトリックスに含まれるその他の画素についても同様である。
【０１０９】
続いて、圧縮部２８により、第１の処理データが圧縮されて圧縮データが出力される。
【０１１０】
続いて、圧縮データフレームバッファ１６に格納されると共に、補正有無情報がマトリックス単位でフレームバッファ１６に格納される。
【０１１１】
続いて、フレームバッファ１６から圧縮データが読み出され、伸張部３０により、フレームバッファ１６から読み出された圧縮データが伸張されて伸張データが出力される。
【０１１２】
続いて、逆低階調補正部３２により、逆低階調補正が伸張データにマトリックス単位で施されて逆低階調補正データがマトリックス単位で出力される。
【０１１３】
続いて、フレームバッファ１６から補正有無情報が読み出され、第２の処理判定部３４から、フレームバッファ１６から読み出された補正有無情報が補正無しを表す場合に伸張データがマトリックス単位で出力される。
一方、フレームバッファ１６から読み出された補正有無情報が補正有りを表す場合にレジスタからマトリックスに含まれる複数の画素のRGB毎のマトリックス補正有無情報が取得される。また、マトリックスに含まれる画素毎に、かつ、RGB毎に、第２の処理判定部３４から、レジスタから取得したマトリックス補正有無情報が補正無しを表す場合に伸張データが出力され、レジスタから取得したマトリックス補正有無情報が補正有りを表す場合に逆低階調補正データが出力される。
【０１１４】
４×４のマトリックス単位で階調補正を制御する場合、マトリックス補正有無情報を格納するレジスタは必要になるが、１画素単位で階調補正を制御する場合に比べて、補正有無情報のデータ量を１／４８（RGB毎の補正有無情報は１／１６、RGBの補正有無情報の共通化により１／３）に減らすことができる。なお、４×４のマトリックス単位に限らず、任意のサイズのマトリックス単位で階調補正を制御することができる。
【０１１５】
また、マトリックス単位で階調補正を制御する場合、マトリックス補正有無情報の内容が異なる２以上のレジスタを備えていてもよい。この場合、補正有無情報は、補正有りを表す場合に２以上のレジスタの中から１つのレジスタを指定する情報を含む。
【０１１６】
第１、第２および第３のレジスタを備える場合、補正有無情報は、00, 01,10および11のいずれかで表される２ビットのデータとなり、例えば、補正有無情報が00の場合は補正無し、補正有無情報が01, 10および11の場合は補正有りを表す。また、補正有無情報が補正有りを表す場合、補正有無情報の01, 10および11は、それぞれ第１、第２および第３のレジスタを指定する情報となる。
【０１１７】
２以上のレジスタを備える場合、第１の処理判定部２６から、補正有無情報が補正無しを表す場合に階調補正データがマトリックス単位で出力される。
一方、補正有無情報が補正有りを表す場合に補正有無情報により指定される１つのレジスタからマトリックスに含まれる複数の画素のRGB毎のマトリックス補正有無情報が取得される。また、マトリックスに含まれる画素毎に、かつ、RGB毎に、第１の処理判定部２６から、１つのレジスタから取得したマトリックス補正有無情報が補正無しを表す場合に階調補正データが出力され、１つのレジスタから取得したマトリックス補正有無情報が補正有りを表す場合に低階調補正データが出力される。
【０１１８】
また、第２の処理判定部３４から、フレームバッファ１６から読み出された補正有無情報が補正無しを表す場合に伸張データがマトリックス単位で出力される。
一方、フレームバッファ１６から読み出された補正有無情報が補正有りを表す場合に補正有無情報により指定される１つのレジスタからマトリックスに含まれる複数の画素のRGB毎のマトリックス補正有無情報が取得される。また、マトリックスに含まれる画素毎に、かつ、RGB毎に、第２の処理判定部３４から、１つのレジスタから取得したマトリックス補正有無情報が補正無しを表す場合に伸張データが出力され、１つのレジスタから取得したマトリックス補正有無情報が補正有りを表す場合に逆低階調補正データが出力される。
【０１１９】
２以上のレジスタを備える場合、マトリックス補正有無情報を格納する２以上のレジスタが必要になり、かつ、１つ当たりの補正有無情報のデータ量は増えるが、１つのレジスタのみを備える場合に比べて、レジスタの数、つまり、マトリックス補正有無情報の内容のパターンが増えるに従って階調補正の精度を向上させることができる。なお、レジスタの数は３つに限らず、任意の数のレジスタを備えていてもよい。
【０１２０】
以上、本発明について詳細に説明したが、本発明は上記実施形態に限定されず、本発明の主旨を逸脱しない範囲において、種々の改良や変更をしてもよいのはもちろんである。
【符号の説明】
【０１２１】
１０  液晶表示装置
１２  階調補正部
１４  圧縮処理部
１６  フレームバッファ
１８  伸張処理部
２０  オーバドライブ部
２２  液晶表示パネル部
２４  低階調補正部
２６  第１の処理判定部
２８  圧縮部
３０  伸張部
３２  逆低階調補正部
３４  第２の処理判定部
【図１】
2018136455.tif 000003
【図２】
2018136455.tif 000004
【図３】
2018136455.tif 000005
【図４】
2018136455.tif 000006
【図５】
2018136455.tif 000007